(57)【要約】【課題】コンプレッサーに突然の不具合が発生して、冷凍庫内、冷蔵庫内の温度が上昇し、保存中の食品に影響が生じる場合に、家庭において応急的な処置で冷却機能を維持して保存中の食品を保護できる冷蔵庫を提供する。【解決手段】本体のコンプレッサー１に不具合が発生し冷却ができなくなった場合、外部接続部６を通じ外部機器７がコンプレッサーとすることにより、一時的に冷蔵庫の機能を補うことができるものである。すなわち、本体のコンプレッサー１に不具合が生じた場合、本体コンプレッサー１を停止し、外部接続部６より接続された外部機器７であるコンプレッサーを動作させることにより冷却機能を補うことができるものである。【選択図】図１
2006145078.tif 000002
【特許請求の範囲】
【請求項１】
貯蔵室とコンプレッサー、凝縮器、冷却器を備えた冷凍サイクルとを有し、前記冷凍サイクルの途中に外部機器と接続できる外部接続部を備えたことを特徴とする冷蔵庫。
【請求項２】
前記外部接続部が前記コンプレッサーの両端部に設けられ、前記外部機器がコンプレッサーであることを特徴とする請求項１記載の冷蔵庫。
【請求項３】
前記外部接続部にもとの冷蔵庫に備えられているコンプレッサーと外部機器とを切り替えるための切り替えバルブを備えたことを特徴とする請求項１または２記載の冷蔵庫。
【請求項４】
前記切り替えバルブに前記冷凍サイクルの冷媒ガスの漏れ防止用の安全装置を備えたことを特徴とする請求項３記載の冷蔵庫。
【請求項５】
前記外部機器のコンプレッサーに安全装置として、温度を検知するセンサーを備えたことを特徴とする請求項２記載の冷蔵庫。
【請求項６】
前記冷凍サイクルの冷媒に可燃ガスを用い、前記外部機器のコンプレッサーに安全装置として、可燃ガスの検知センサーを備えたことを特徴とする請求項２記載の冷蔵庫。
【発明の詳細な説明】
【技術分野】
【０００１】
本発明は、冷蔵庫において、使用時に突然の不具合により冷蔵室および冷凍室が冷えなくなる場合に外部からのバックアップできる冷蔵庫に関するものである。
【背景技術】
【０００２】
従来より、冷蔵庫の動作原理として冷媒ガスの圧縮、膨張を用いて、気化することで周囲から吸熱することによって冷却するものが一般的である。また、冷蔵庫として、コンプレッサーを冷蔵庫本体から離して、設置する冷蔵庫が開示されている（例えば、特許文献１参照）。
【特許文献１】実開平６−６９６７６号公報
【発明の開示】
【発明が解決しようとする課題】
【０００３】
しかしながら、上記従来の冷蔵庫では、冷凍サイクルの例えばコンプレッサーに突然の不具合が発生した場合、冷凍室内、冷蔵室内の温度が上昇し、中に保存している食品が温度上昇により腐敗してしまうことがある。また、家庭において故障した場合、すぐには商品を取り替えることができず、さらにゆっくりと新しい商品を選ぶこともできない。さらに、従来の開示されている技術においても、設置した後は冷蔵庫本体とコンプレッサー間を容易にはずせるような構成となっておらず、あくまでも静かな環境を保つためと、冷媒のフロンの撤去作業の容易にするものである。
【０００４】
本発明は、前記従来の課題を解決するもので、冷凍サイクルの構成要素の故障等の時にも応急的に一時的な冷却機能を維持する手段を有する冷蔵庫を提供することを目的とする。
【課題を解決するための手段】
【０００５】
前記従来の課題を解決するために、本発明の冷蔵庫は、冷凍サイクルの途中に外部機器と接続するための外部接続部を備えることにより、不具合時に容易に外部から代替機器を接続することができ、一時的に冷蔵庫の機能を維持させることが可能となる。
【発明の効果】
【０００６】
本発明の冷蔵庫は、冷蔵庫本体に設置された外部接続部より外付けで外部機器を接続することができ、例えば故障機器がコンプレサーである場合、一時的に故障した本体コンプレッサーの代わりを外部機器として接続した代替コンプレッサーが果たすことにより冷却機能を維持することが可能となる。
【発明を実施するための最良の形態】
【０００７】
第１の発明は、貯蔵室とコンプレッサー、凝縮器、冷却器を備えた冷凍サイクルとを有し、前記冷凍サイクルの途中に外部機器と接続できる外部接続部を備えたものであり、冷凍サイクルの構成要素の不具合時に外部から例えば、外部タンクおよびポンプにより冷蔵庫本体内部の冷媒を入れ替え等によって、冷却能力を回復させることができる。
【０００８】
第２の発明は、前記外部接続部が前記コンプレッサーの両端部に設けられ、前記外部機器がコンプレッサーとすることによって、不具合により本体コンプレッサーが機能しなくなった場合、外部接続部より接続したコンプレッサーを作動させることで一時的に冷蔵庫の機能を維持させることができる。
【０００９】
第３の発明は、前記外部接続部にもとの冷蔵庫に備えられているコンプレッサーと外部機器とを切り替えるための切り替えバルブを備えたことにより、外部機器に切り替える際に内部の冷媒が漏れるようなことが少なくすることができる。さらに、外部機器を接続する場合でも容易に本体コンプレッサーと切り替えができるものである。
【００１０】
第４の発明は、前記切り替えバルブに前記冷凍サイクルの冷媒ガスの漏れ防止用の安全装置を備えたことによって、より安全に外部接続機器を接続できる。
【００１１】
第５の発明は、前記外部機器のコンプレッサーに安全装置として、温度を検知するセンサーを備えたことによって、外部機器のコンプレッサーの異常を温度により検知することができ、外部に設置した機器の安全性も確認することができる。
【００１２】
第６の発明は、前記冷凍サイクルの冷媒に可燃ガスを用い、前記外部機器のコンプレッサーに安全装置として、可燃ガスの検知センサーを備えたことにより、本体冷凍システム中あるいは、外部機器中の可燃性の冷媒（イソブタン等）が漏れた場合にすぐに検知することができ、大事に至る前に対処ができるものである。
【００１３】
以下、本発明の実施の形態について、図面を参照しながら説明をする。なお、本実施の形態によって本発明が限定されるものではない。
【００１４】
（実施の形態１）
図１は、本発明の実施の形態１における冷凍サイクルを示した構成図である。
【００１５】
図１において、コンプレッサー１により圧縮された高温高圧の冷媒ガスは、凝縮器２により放熱、凝縮された後、液状の冷媒となってドライヤー３で乾燥される。その後、冷却器４へ導入されて、ここで冷凍室、冷蔵室等の貯蔵室へ冷気が置換される。冷却器４を通過した冷媒は、サクションパイプ５を通りコンプレッサー１へと再び圧縮されるように構成されている。さらに、冷凍サイクルの途中に外部接続部６を設け外部機器７を接続できるように構成されている。
【００１６】
以上のように構成された冷蔵庫において、本体の冷凍サイクルに何らかの不具合を生じた場合、例えば外部接続部６より冷媒の入れ替えを容易に行うことができ不具合を解決できるものである。
【００１７】
また、本体のコンプレッサー１に不具合が発生し冷却ができなくなった場合、外部接続部６を通じ外部機器７をコンプレッサーとすることにより、一時的に冷蔵庫の機能を補うことができるものである。すなわち、本体のコンプレッサー１に不具合が生じた場合、本体コンプレッサー１を停止し、外部接続部２より接続されたコンプレッサーを動作させることにより冷却機能を補うことができるものである。
【００１８】
外部接続部６に切り替えバルブを設けることで容易に外部と切り替えることができる。また、切り替えバルブにガス漏れが発生しないように例えば、逆止弁が備わっていることで万が一接続部がはずれても中の冷媒が漏れることがないように作用するものである。
【００１９】
さらに、外部接続器７のコンプレッサーに温度センサーが設けられていることにより、例えば過負荷によりコンプレッサーが異常な状態にならないように監視することができるものである。
【００２０】
また、冷凍サイクルに可燃性の冷媒を用いる場合は、万が一冷媒が漏れた場合、可燃ガスの検知センサーを搭載していることによって異常を検知でき対処することができる。
【産業上の利用可能性】
【００２１】
以上のように本発明にかかる冷蔵庫は、急な不具合により冷蔵庫の機能（冷却）が悪くなった場合に外部からの接続により一時的に冷蔵庫としての機能を保つことができるものであり、家庭用の冷蔵庫のみならず貯蔵室を備えた業務用の冷蔵庫、自動販売機、ショーケースのほか、貯蔵室に対する不具合ではなくても、一時的に機能を維持させる目的であれば空調機器など冷凍装置を備えた機器全般に幅広く適用できる。
【図面の簡単な説明】
【００２２】
【図１】本発明の実施の形態１における冷蔵庫の冷凍サイクルを示した構成図
【符号の説明】
【００２３】
１  コンプレッサー
２  凝縮器
３  ドライヤー
４  冷却器
５  サクションパイプ
６  外部接続部
７  外部機器
【図１】
2006145078.tif 000003